(57)【要約】【課題】  製造コストが安価で、強度が高く、したがって、精度を維持できるカード用ソケットを提供することを目的とする。【解決手段】  カード挿入方向奥部たる前部にカードとの接続のためのコネクタ部１６が設けられ、後部にカードの挿入のための開口部が形成されており、開口部の幅よりも小さい幅のカードＣ２が挿入されたとき、カードをコネクタ部へ接続する正規位置へ案内するための案内手段がソケット内部に設けられているカード用ソケットにおいて、カードソケットは金属板で作られていて、カードの厚み方向にてカードの面の位置を規制する底平面部１１及びこれと平行で対向する上平面部２５，３０とカードの幅方向側面の位置を規制する両側の側面部１２，１３とを有してカードのための収容部を形成し、案内手段１６は収容部を形成する該ソケットの一部を成形してコネクタ部に向け斜めそして引続き平行に延びて形成されている。【選択図】  図１
2006344489.tif 000002
【特許請求の範囲】
【請求項１】
カード用ソケットのカード挿入方向で前部にカードとの接続のためのコネクタ部が設けられ、後部にカードの挿入のための開口部が形成されており、該開口部の幅よりも小さい幅のカードが挿入されたとき、このカードをコネクタ部へ接続する正規位置へ案内するための案内手段がソケット内部に設けられているカード用ソケットにおいて、カードソケットは金属板で作られていて、カードの厚み方向にてカードの面の位置を規制する底平面部及びこれと平行で対向する上平面部と該カードの幅方向側面の位置を規制する両側の側面部とを有してカードのための収容部を形成し、上記案内手段は収容部を形成する該ソケットの一部を成形してカード挿入方向でコネクタ部に向け斜めそして引続き平行に延びて形成されていることを特徴とするカード用ソケット。
【請求項２】
底平面部と側面部は一体でソケット本体を形成し、上平面部は該ソケット本体に取りつけられる蓋部材として形成されていることとする請求項１に記載のカード用ソケット。
【請求項３】
ソケット本体の底平面部と蓋部材とは案内手段から延びる係止片により互いに係止されていることとする請求項２に記載のカード用ソケット。
【請求項４】
底平面部と側面部そして上平面部は一体で形成されていることとする請求項１に記載のカード用ソケット。
【請求項５】
上平面部は底平面部との対向方向にて該底平面部の一部の領域に対応した領域に形成されていることとする請求項４に記載のカード用ソケット。
【請求項６】
上平面部と底平面部とは案内手段から延びる係止片により互に係止されていることとする請求項４又は請求項５に記載のカード用ソケット。  
【請求項７】
カード用ソケットのカード挿入方向で前部にカードとの接続のためのコネクタ部が設けられ、後部にカードの挿入のための開口部が形成されており、該開口部の幅よりも小さい幅のカードが挿入されたとき、このカードをコネクタ部へ接続する正規位置へ案内するための案内手段がソケット内部に設けられているカード用ソケットにおいて、カードソケットは金属板で作られていて、カードの厚み方向にてカードの面の位置を規制する底平面部と該カードの幅方向側面の位置を規制する両側の側面部とを有し、カードの厚さに相当する所定間隔をもって上記底平面部と平行に回路基板へ取付可能となっていて、その取付時にカードのための収容部を形成するようになっており、上記案内手段は収容部を形成する該ソケットの一部を成形してコネクタ部に向け斜めに延びて形成されていることを特徴とするカード用ソケット。
【請求項８】
案内手段はカード用ソケットの後部側に設けられた第一案内手段と、前部側に設けられた第二案内手段とを有し、第一案内手段と第二案内手段はそれぞれ底平面部と上平面部のいずれかに設けられていることとする請求項１又は請求項７に記載のカード用ソケット。
【請求項９】
第一案内手段は、カードの前端縁にカード前端幅より短い範囲に設けられた突縁部の突出高さの範囲内で該突縁部に当接するように形成され、第二案内手段は、上記突出高さの範囲外の高さで該カードに当接するように設けられていることとする請求項８に記載のカード用ソケット。  
【請求項１０】
第一案内手段は、その延びる方向に対して直角な断面形状が凸状あるいは段差をなしていることとする請求項８又は請求項９に記載のカード用ソケット。  
【請求項１１】
挿入方向の前端部から後端部までの幅がほぼ同じである第一のカードと、前端部での幅が第一のカードと同じで後端部での幅が片側に拡張されて第一のカードよりも広くなっている第二のカードのいずれかが選択され、第一のカードを挿入する際に第一のカードの前端部分が案内手段によって正規位置へ案内されることとする請求項１又は請求項７に記載のカード用ソケット。  
【発明の詳細な説明】
【技術分野】
【０００１】
本発明は、カード用ソケットに関し、特に、ソケット奥部に設けられたコネクタに接続される前端部が同じ幅でありながら後端部で異なる幅をもつ二種のカードを、任意に選択して挿入し上記コネクタとの接続を可能とするカード用ソケットに関する。
【背景技術】
【０００２】
パソコンなどの電子機器の機能拡張のために、カードが用いられる。該カードは複数種、用意されていて適宜選択された後、パソコンに備えられたソケットへ挿入される。複数種のカードは、同じサイズならば何ら問題はないが、異なる場合がある。そこで例えば、幅の異なる二つのカードに対しては、幅広のカードを、ソケット内のコネクタと接続される該カードの接続部が設けられている前端部を幅狭のカードと同じ幅とし、ソケット内には共通のコネクタを設けている。ソケットはカード挿入側開口が幅広のカードのサイズに合せて形成されて、両カードの挿入を可能としている。幅広のカードがこのソケットに挿入されたときは、ソケット内で幅方向での位置が不定となってコネクタとの接続に不具合が生ずるので、該ソケット内には案内手段が設けられカードの挿入の進行に伴い自動的に該幅狭のカードが幅方向に案内されてコネクタとの接続位置にもたらされるようになっている。
【０００３】
例えば、添付図面の図７（Ａ），（Ｂ）に見られるように、幅狭カードＣ１と幅広カードＣ２とは、ソケットへの挿入方向での前端部（図にて左端部）は同一幅となっていて、この前端面にコネクタとの接続部が設けられている。幅狭カードＣ１は前端部から後端部まで同一幅となっているが、幅広カードＣ２は途中で幅方向で段状に拡張されていて後端部側が幅広となっている。これらのカードＣ１，Ｃ２は、規格によって、一方の面（図７では、上面）の前端縁に、前端部の幅よりも小さい長さの突縁部Ｃ１Ａ，Ｃ２Ａが設けられている。これらの幅狭カードＣ１の前端部と幅広カードＣ２の前端部は、突縁部Ｃ１Ａ，Ｃ２Ａを含め同一形状同一寸法となっている。
【０００４】
これらの二種のカードＣ１，Ｃ２を受入れるソケット５０は、添付図面の図８に概要構成が示されているように、金属板を屈曲して作られたソケット本体５１と、蓋部材５２とを有し、該ソケット本体５１の奥部にコネクタ５３が取りつけられている。
【０００５】
金属板から作られているソケット本体５１は幅が上記幅広カードＣ２を受入れる寸法となっており、平面部５１Ａと、該平面部５１Ａの幅方向両側縁で屈曲された側面部５１Ｂと、該側面部５１Ｂからさらに屈曲されたフランジ部５１Ｃとを有している。該フランジ部５１Ｃは、平面部５１Ａ上を摺接して挿入されるカードの上面側縁部を案内しつつカード厚み方向での位置を定めているのに加え、前部でコネクタ５３そして案内手段としてのガイドプレート５４を保持している。このフランジ部５３上には、板状の蓋部材５２が配置され、適宜取付けられる。
【０００６】
コネクタ５３は、ソケット５０の前端部で幅方向左方、すなわち、左側の側面部５１Ｂに接するように位置しており、ソケットの幅よりも小さい幅の幅狭カードＣ１が左側の側面部５１Ｂに接して挿入されたときに、該幅狭カードＣ１が上記コネクタ５３に対応して位置することとなる。
【０００７】
案内手段としてのガイドプレート５４は、合成樹脂で作られていて、上記コネクタ５０よりも後方かつ幅方向右方、すなわち、右側の側面部５１Ｂに接するように位置している。このガイドプレート５４は、幅狭カードＣ１を幅方向で左側の側面部５１Ｂに寄せた正規位置でソケット５０に挿入したときに、該カードＣ１よりも右方に位置して設けられている。換言すれば、幅狭カードＣ１が幅方向で正規位置よりも右方にずれてソケットに挿入されたときには、該幅狭カードＣ１は上記ガイドプレート５４と当接して幅方向に案内されて上記正規位置へもたらされるようになっている。具体的には、上記ガイドプレート５４は、二段の棚状をなし、前方かつコネクタの方向へ向く斜縁のガイド部を有している。下段には、ソケット５０の平面部５１Ａから幅狭カードＣ１の突縁部Ｃ１Ａの高さの範囲の高さ寸法の下ガイド部５４Ａが形成され、それよりも前方にずれた位置には、上記下ガイド部５４Ａよりも上方に、上ガイド部５４Ｂが形成されている。このような案内手段としてのガイドプレート５４を有するソケット５０には、図７に図示されたカードＣ１，Ｃ２は、図８に見られるごとく、上下面が逆に反転された状態で挿入される。
【０００８】
幅広カードＣ２は、上記ガイドプレート５４との干渉を避けるように、前端部が幅狭カードＣ１と同じ幅にはなっているものの、後端部側はソケットの幅と同じなので、幅方向で正規位置からずれて挿入されることはなく、何の問題もなくコネクタ５３と接続される。
【０００９】
幅狭カードＣ１は、ソケット内で幅方向に位置が不定であり、幅方向で正規位置から右方にずれて挿入されることがある。この場合には、カードＣ１は、図９に見られるごとく、挿入の進行に伴い、前端部に設けられた突縁部Ｃ１Ａが下ガイド部５４Ａに当接して左方に移動しながら前進し、次にカードＣ１自体の右角縁が上ガイド部５４Ｂに当接してさらに左方に移動しながら前進する。かくして、カードＣ１はコネクタ５３に対応する正規位置にもたらされ、円滑にコネクタと接続する。
【特許文献１】発見できず
【発明の開示】
【発明が解決しようとする課題】
【００１０】
しかしながら、このような従来のカード用ソケットにあっては、製造コストが高くなること、精度そして強度の面での理由で使用上の不具合が生ずることもあること等、改善の余地があった。
【００１１】
先ず、製造コストに関しては、ソケットは金属板を屈曲成形したものに、合成樹脂で成形したガイドプレートを固定して作るので、二種の部材が必要であり、さらにこれらを固定する作業も必要となり、必然的にコスト高となる。
【００１２】
次に、これらの部材はそれぞれ製造上の精度誤差をもっているので、部材の数が増えると誤差の積み重ねにより、誤差が大きくなる。さらに、二部材が取りつけられているということは、使用時に力が加わると、互が完全に外れないまでもずれてしまうということがある。これらの誤差やずれによって、カードの位置が、特にその厚さ方向に正確でなくなり、カードが上記ガイドプレートの下ガイド部を乗り上げてしまうこともある。結果として、当然カードのコネクタとの円滑な接続はできず、ソケットあるいはカード自体が変形・損傷に至ることもある。
【００１３】
本発明は、このような事情に鑑み、製造コストが安価で、強度が高く、したがって精度を維持できるカード用ソケットを提供することを目的とする。
【課題を解決するための手段】
【００１４】
本発明に係るカード用ソケットは、カード用ソケットのカード挿入方向奥部たる前部にカードとの接続のためのコネクタ部が設けられ、後部にカードの挿入のための開口部が形成されており、該開口部の幅よりも小さい幅のカードが挿入されたとき、このカードをコネクタ部へ接続する正規位置へ案内するための案内手段がソケット内部に設けられている。
【００１５】
かかるカード用ソケットにおいて、本発明では、カードソケットは金属板で作られていて、カードの厚み方向にてカードの面の位置を規制する底平面部及びこれと平行で対向する上平面部と該カードの幅方向側面の位置を規制する両側の側面部とを有してカードのための収容部を形成し、上記案内手段は収容部を形成する該ソケットの一部を成形してコネクタ部に向け斜めに延びて形成されていることを特徴としている。
【００１６】
このような本発明では、金属板を成形して作られるソケットの一部として一体的に案内手段を備えるので、部品点数が減ってコストを安価にすることができることに加え、ソケットのカード面に対する規制部位に関しての案内手段の位置精度が高まり、また、両者が離れたりずれたりすることもなくカードをコネクタに対して正確に案内でき、さらにはソケット自体の強度も向上する。
【００１７】
本発明において、底平面部と側面部は一体でソケット本体を形成し、上平面部は該ソケット本体に取りつけられる蓋部材として形成されているようにすることができる。その場合、ソケット本体の底平面部と蓋部材とは案内手段から延びる係止片により互いに係止されていることが好ましい。案内手段にはカードから当接圧を受けるが、その際、この係止片による底平面部と蓋部材との間の係止により、両者間の弾性変位に起因する案内手段近傍での収容部の高さ方向の変動が阻止され、ひいては、カードの厚み方向での案内精度が維持される。
【００１８】
また、本発明においては、蓋部材を用いることなく、底平面部と側面部そして上平面部は一体で形成されているようにすることもできる。その場合、上平面部は底平面部との対向方向にて該底平面部の一部の領域に対応した領域に形成されているようにしてもよい。上記上平面部は、蓋部材を用いる場合のごとくの係止片による底平面部との係止を行ない、案内手段と両平面部とを一体化して、案内手段近傍での高さ方向の変動を阻止すると共に、案内手段の強度を向上させることが好ましい。
【００１９】
さらに、本発明では、蓋部材や上記の一体化された上平面部を設けることなく、金属板で作られるカードソケットが、カードの厚み方向にてカードの面の位置を規制する底平面部と該カードの幅方向側面の位置を規制する両側の側面部とを有し、カードの厚さに相当する所定間隔をもって上記底平面部と平行に回路基板へ取付可能となっていて、その取付時にカードのための収容部を形成するようになっているようにすることもできる。回路基板が蓋部材あるいは上平面部に代ってカード面の位置を規制する機能を有するようになる。
【００２０】
本発明において、案内手段はカード用ソケットの後部側に設けられた第一案内手段と、前部側に設けられた第二案内手段とを有し、第一案内手段と第二案内手段はそれぞれ底平面部と上平面部のいずれかに設けられているようにすることができる。その場合、第一案内手段は、カードの前端縁にカード前端幅より短い範囲に設けられた突縁部の突出高さの範囲内で該突縁部に当接するように形成され、第二案内手段は、上記突出高さの範囲外の高さで該カードに当接するように設けられていることとすると良い。  
【００２１】
第一案内手段は、例えば、その延びる方向に対して直角な断面形状が凸状あるいは段差をなしている形状として形成できる。  
【００２２】
このような本発明のカード用ソケットでは、挿入方向の前端部から後端部までの幅がほぼ同じである第一のカードと、前端部での幅が第一のカードと同じで後端部での幅が片側に拡張されて第一のカードよりも広くなっている第二のカードのいずれかが選択され、第一のカードを挿入する際に第一のカードの前端部分が案内手段によって正規位置へ案内されることとなる。  
【発明の効果】
【００２３】
本発明は、以上のごとく、カードの挿入のための金属板から作られるソケットの一部を加工してカードの案内手段を形成することとしたので、一部材とすることでソケットが安価に作られるのみならず、部品点数を複数とする従来のものが有していた積重ね精度誤差を小さく抑制し、部品同士のずれがないことそして金属であることにより強度も向上し、その結果，カードの挿入位置がずれることなく円滑にコネクタに対し正規位置にもたらされ、さらには、挿入操作時の取扱いに対しても損傷の虞れが低減する。
【発明を実施するための最良の形態】
【００２４】
以下、添付図面にもとづき、本発明の実施形態を説明する。
【００２５】
＜第一実施形態＞
本実施形態のカード用ソケットに挿入されるカードは、幅寸法が異なる複数種が存在する。まず、第一のカードたる幅狭なカードとして、コネクタと接続される前端部が該コネクタと同等の幅をもち、この前端部から後端部まで同一幅となっているカードがある。これに対し、第二のカードたる幅広なカードとして、前端部は上記コネクタとの接続の関係上上記幅狭カードの前端部をもっているが、後端部がこれよりも広い幅をもっているカードがある。幅広カードは中間部で幅方向で一方へ、上記前端部の幅から降誕部の幅へと段状に拡張されている。さらには、後端部が上記第一のカードと第二のカードとの中間の幅となっている第三のカードも存在し得る。
【００２６】
図１に示される本実施形態のカード用ソケットは、回路基板等（図示せず）に取りつけられるソケット本体１０とこのソケット本体１０に取りつけられる蓋部材３０とを有し、ソケット本体１０上に蓋部材３０を取りつけることによりカード挿入のための収容部（空間）を形成する。該収容部は、上述した幅狭カードと幅広カードのどちらでも挿入可能なように、両種カードに共通な空間を提供する。ソケット本体１０と蓋部材３０は、金属板を屈曲加工して作られている。
【００２７】
上記ソケット本体１０は、矢印Ａ方向に挿入されるカードの面に平行な底平面部１１と、左右側縁で立ち上がる左側面部１２及び右側面部１３とを一体に有している。このソケット本体１０は、上記Ａ方向で奥部（「前部」という）は後部に対して、Ａ方向に直角な方向での寸法、すなわち幅が狭くなっており、幅方向左側に寄って位置しており右側が切り欠かれた形をなしている。この幅狭な前部の左右両側には底平面部１１から垂立する側支持壁１４，１５が形成され、両方の側支持壁１４，１５によりコネクタ１６が保持されている。該コネクタ１６は、幅方向に複数配列された端子（図示せず）を有し、各端子がコネクタ前方へ突出して回路基板へ接続される接続部と、後方へ突出して挿入カード（幅狭カード又は幅広カード）と接続される接触部とを有している。
【００２８】
上記ソケット本体１０の底平面部１１は、前部側における両方の側支持壁１４，１５の間の領域と中間部から後方の後部側における左側面部１２と右側面部１３との間の領域とにわたって略平坦面をなしている。
【００２９】
上記底平面部１１には、図７（Ａ）に示された幅狭カードＣ１が挿入されたとき、該幅狭カードＣ１は、ソケット本体１０の後部領域では、底平面部１１よりもカード幅が狭いために幅方向での位置が不定であるので、この幅狭カードＣ１をコネクタ１６に対応した幅方向位置へ案内するための案内手段としての案内部１７が設けられている。該案内部１７は第一案内部１８と第二案内部１９とを有し、カードソケットの幅方向にてコネクタ１６よりも右方に位置している。また、前後方向では第一案内部１８は第二案内部１９よりも後方、すなわちソケットのカード挿入開口側に設けられている。
【００３０】
第一案内部１８は、カードの挿入方向Ａで前方に向け全体として左方、すなわちコネクタ１６方向へ斜めそして引続き平行に延びて平面形状を略く字形状となす凸条部を形成している。この第一案内部１８は第二案内部１９近傍まで延びているが、終端となる前端部分の短い範囲で上記挿入方向Ａと平行となっている。該第一案内部１８は、断面形状を示す図２(Ａ），（Ｂ）に見られるごとく、その部位で底平面部１１が下面側から突出屈曲加工を受け、あるいは、切り込み溝を形成後にその縁部が屈曲加工を受けて、ソケットの内方へ突出する凸条形状をなしている。この凸条形状はカードを案内する側面、すなわち図にて左側の面は、底平面部１１から垂立していることが好ましい。この凸条をなす第一案内部１８の突出高さは、図８で示した幅狭カードＣ１に設けられた突縁部Ｃ１Ａの突出高さの範囲内で該突縁部Ｃ１Ａに当接するように設定されている。なお、上記第一案内部１８は挿入方向に対し斜めの部分そして平行部分が連続して形成されているが、案内機能に影響しない程度に中断されて不連続であってもよい。
【００３１】
第二案内部１９は、上記第一案内部１８の前端近傍で底平面部の側縁が垂立して屈曲された壁部２０から後方へ上記第一案内部１８と同じ方向で斜めに延びる案内舌片２１を有している。この案内舌片２１は上記壁部２０との境界部を基部としている。該案内舌片２１の高さ方向での位置及び寸法は、図８で示した幅狭カードＣ１に設けられた突縁部Ｃ１Ａの突出高さ範囲外で上記案内舌片２１が該カードＣ１に当接するように設定されている。
【００３２】
上記第二案内部１９は、好ましい形態として、上記壁部２０の上縁部が蓋部材３０を受けるために水平に屈曲された受部２０Ａと、該蓋部材３０との係止のために、該受部２０Ａから上方に突出して形成された係止片２０Ｂと、さらには、上記案内舌片２１の自由端たる後端から上方に突出して形成された係止片２１Ａとを有している。
【００３３】
さらに、上記ソケット本体１０は、その両側の側面部１２，１３の上縁が上記蓋部材３０を受けるために水平に屈曲された受部１２Ａ，１３Ａをそれぞれ有し、これらの受部
１２Ａ，１３Ａには、上記蓋部材３０との係止のために、該突部１２Ａ，１３Ａから上方に突出形成された係止片１２Ｂ，１３Ｂをそれぞれ有している。
【００３４】
上記受部２０Ａそして案内舌片２１に設けられた係止片２０Ｂ，２１Ａ、さらには、上記受部１３Ａ，１４Ａに設けられた係止片１２Ｂ，１３Ｂは、これらが蓋部材３０の対応部に対して、例えば屈曲成形されて係止するようになっているが、要は、係止すればそれで十分であり、その細かい形態には限定がなく、ここでは詳述しない。
【００３５】
上記ソケット本体１０に取りつけられる、ソケットの上平面部を形成する蓋部材３０は、図１に見られるように、上記ソケット本体１０の平面形状にほぼ一致した外形の略平板をなしている。この蓋部材３０は両側の側縁に、上記受部１２Ａ，１３Ａに設けられた係止片１２Ｂ，１３Ｂが係止する係止部３１，３２を上平面部からクランク状に延出させてそれぞれ対応した位置に有している。上記係止片１２，１３Ｂは、上記係止部３１，３２をそれぞれ縁部で巻き込むように屈曲されて該係止部３１，３２と係止する。
【００３６】
上記蓋部材３０には、上記ソケット本体１０の壁部２０に設けられた係止片２０Ｂが係止する係止部３３、案内舌片２１に設けられた係止片２１Ａが係止する係止溝部３４がそれぞれ対応位置に形成されている。上記係止片２０Ｂは、上記係止片１２Ｂ，１３Ｂの場合と同様の要領で、上記係止部３３を巻き込むように屈曲されて該係止部３３と係止し、一方、係止片２１Ａは上記係止溝部３４を貫通後に屈曲されて該係止溝３４の縁部と係止する。これにより第二案内手段１９は上平面部と底平面部とを案内手段の領域近傍で一体化するので高さ方向の精度を高め維持することができる。
【００３７】
このように構成されるカード用ソケットは、次の要領で使用される。
（１）先ず、蓋部材３０がソケット本体１０に取付部材られてカード用ソケットを形成した後、このソケットが回路基板等の対象部材に取付られる。しかし、この順序を逆にして、ソケット本体１０を回路基板に取りつけた後に、これに蓋部材３０を取りつけることとしてもよい。
（２）上記ソケットに図７（Ａ），(Ｂ）に示されるいずれかのカードを選択して挿入する（挿入時には、どちらのカードの場合にも、図７の状態を上下面反転した状態とする）が、先ず、図７(Ａ）に示される幅広カードＣ２の場合には、該カードＣ２の前端部がソケットの幅より小さいのでソケットへの挿入開始時に幅方向で位置が不定であるが、該カードＣ２は中間部から後端部にわたりソケットと同じ幅であるので、挿入が或る程度進行すると、操作者は目視により、直ぐにもカードをコネクタとの接続可能な正規の幅方向位置に定める。仮りに、操作者が意識しなくとも、挿入の進行に伴い、カードが幅方向で側面部１２，１３によって案内されて正規位置にもたらされる。
（３）次に、図７（Ｂ）に示される幅狭カードＣ１が挿入される場合、該カードＣ１はその幅が前端部から後端部にわたりソケットの幅よりも小さいので、ソケット内では幅方向に位置が不定となる。このカードＣ１がコネクタとの接続が可能な正規の幅方向位置よりも右方にずれて挿入されると、カードＣ１の前端縁に形成された突縁部Ｃ１Ａの端部が第一案内部１８のコネクタ１６の方向へ延びる斜めの凸条に当接し、該カードＣ１は挿入の進行に伴い左方へ案内され、次にカードＣ１の前端部右端が第二案内部１９に当接して、さらに左方へ案内され、さらに、上記の斜めの凸条から連続して形成され、カードの挿入方向に対して平行に延びる凸条に滑らかに精度よく案内されて、挿入完了直前にはコネクタとの接続可能位置にもたらされる。このカードＣ１の案内移動の状態は図９に示される従来例の場合と同じであり、この従来例との差異は案内手段がケース自体、すなわち、ケースと一体で金属板により形成されているといることである。
【００３８】
＜第二実施形態＞
本発明の第二実施形態のカード用ソケットを図３に示す。図１の第一実施形態では、ソケット本体に蓋部材を取りつけてカード用ソケットを形成したが、本実施形態では、蓋部材を用いずに、一部材としてソケットを形成している点に特徴がある。なお、図３において、図１に示された第一実施形態のものと共通部位には、同一符号を付してその説明を省略する（以降の他の実施形態でも同様とする）。図３のソケットは、案内手段を理解しやすい状態で示すために、図１のソケットに比し、上下を反転した姿勢で描かれている。したがて、底平面部が上方にそして上平面部が下方に位置して図示されていると共に、これに伴い左右も反対にして表われている。
【００３９】
図３において、一つの金属板を加工して作られているソケットは、底平面部１１と、上平面部２５と、両者を結ぶ側面部１２，１３さらには、側支持壁１４，１５とを一体的に有している。該側支持壁１４，１５の間には、図示を省略したコネクタが支持される。
【００４０】
底平面部１１は一方の側面部１３から延び幅方向で略中央位置までしか存在せず、この中央位置で開放されている。この底平面部１１には図１と同じ第一案内部１８と第二案内部２１が形成されている。第一案内部１８は図１の場合と同様にソケットの内方へ突出しているが、図３は図１と上下で逆方向から描かれているために、図３では下方に突出していることとなる。又、第二案内部２１は、上記底平面部１１の影となり、図３では見えていない。いずれにせよ、図３のソケットでは、ソケットを上下逆にして図１と同じように位置せしめたときには、第一案内部１８と第二案内部２１自体は図１と同じように底平面部１１に設けられている。
【００４１】
かかる図３のソケットは、使用に際しては、図３で上方に見える底平面部１１を下方となるように反転して回路基板や他のカード用ソケットの平面部上等に取りつけられる。この場合、回路基板の面と上記底平面部１１とでは、該底平面部１１の板厚分だけの段差が生じて、カードの挿入が円滑に行われない虞れがあると考えられるときには、例えば、側面部１２，１３の回路基板側寄位置に上記板厚分だけカードを浮かせるようなスライド突部（図示せず）を設けるとよい。
【００４２】
本実施形態は、図３の状態で上側に回路基板が配置するように取付けて使用することも可能である。その場合は、カードが厚板方向でケースと遊びを有するであろうから、上記板厚による段差は何ら影響はなく、スライド突部を形成する必要はない。ただ、遊びの分だけ下方に位置するカードに対しても、第一案内部そして第二案内部がカードと当接すつように、これらの位置を若干下方に位置させる必要がある。尚、底平面部１１を幅方向に延ばして右側面部と係止してもよい。
【００４３】
＜第三実施形態＞
図３の第二実施形態では底平面部１１が幅方向で中央位置にまで及んでいたが、図４に示される第三実施形態では、底平面部１１は前方の一部で、三角形状をなす領域にしか設けられていない。この三角領域をなす底平面部の斜辺をなす解放縁には、第一案内部１８が形成されている。この第一案内部１８は、図５に見られるように上記解放縁を上方に向け屈曲して形成されており、第二実施形態のソケットの場合と同様に図４の状態を上下反転して回路基板に取付けて使用する場合、底平面部１１自体がソケットの上下方向で内方に向け突出することとなり、屈曲させた縁の外面がカードの案内を行う。
【００４４】
本実施形態のソケットも、前実施形態の場合と同様に、図４の状態を上下反転せずに、上方に回路基板が位置するように取付けて使用することも可能である。
【００４５】
＜第四実施形態＞
図６に示される第四実施形態は、ソケット本体１０と蓋部材３０とを有する点では、図１の第一実施形態と同じであるが案内手段が蓋部材３０に設けられているという点で第一実施形態とは異なる。ここで、案内手段としての第一案内部１８と第二案内部２１（図６では見えず）とは、それら自体は、ソケットを上下反転して位置せしめたときに、第一実施形態のそれらと同じ形態である。
【００４６】
又、本実施形態のソケットにあっても、第二、第三実施形態の場合と同様に、回路基板に対して上方から取付けても下方から取付けてもよい。
【００４７】
本発明は、図示された形態に限定されず、種々を変更が可能である。例えば、案内手段は、第一そして第二案内手段と二つに分ける必要はなく、連続して一つにしてもよい。要は、本発明の案内手段は、金属板によってケースなす部材と一体に作られていて、後端側がケース幅よりも狭いカードが挿入されたとき、このカードをコネクタとの接続のための幅方向正規位置へ案内するようになっていることである。
【００４８】
又、上記案内手段、特に第一案内手段は、突条として形成されなくとも、底平面部に段差をつけて、その段状の縁部でカードを案内するようにしてもよい。
さらには、第一案内手段と第二案内手段は、底平面部と上平面部とに別々に位置して形成されていてもよいし、第二案内手段を側面部から延長するようにしてもよい。第二案内手段が側面部から延長される場合は、第二案内手段の係止片は上平面部と底平面部のそれぞれに係止する様にして両平面部を一体化すればよい。
【図面の簡単な説明】
【００４９】
【図１】本発明の一実施形態としてのカード用ソケットの分解状態で示す斜視図である。
【図２】図１の案内手段についてのII-II線断面図であり、（Ａ）は突出加工、（Ｂ）は溝を形成しこの溝の縁部を突出加工した例を示している。
【図３】本発明の第二実施形態を示す斜視図である
【図４】第三実施形態を示す斜視図である。
【図５】図５の第一案内手段についてのＶ-Ｖ断面図である。
【図６】第四実施形態を示す斜視図である
【図７】本発明のカード用ソケットへの挿入対象とする二種の異なるカードを示す斜視図で、(Ａ）は幅狭カード、（Ｂ）は幅広カードである。
【図８】従来のカード用ソケットの分解状態での斜視図である。
【図９】図９のカード用ソケットへの幅狭カードの挿入過程を示す平面図である。
【符号の説明】
【００５０】
１０  ソケット本体                    ２１  第二案段手段（第二案内部）
１１  底平面図                        ２１Ａ  係止片
１２，１３  側面部                    ２５  上平面部
１６  コネクタ（部）                  ３０  上平面部（蓋部材）
１８  第一案内手段（第一案内部）      Ｃ１  第一のカード（幅狭カード）
２０Ｂ  係止片                        Ｃ２  第二のカード（幅広カード）
【図１】
2006344489.tif 000003
【図２】
2006344489.tif 000004
【図３】
2006344489.tif 000005
【図４】
2006344489.tif 000006
【図５】
2006344489.tif 000007
【図６】
2006344489.tif 000008
【図７】
2006344489.tif 000009
【図８】
2006344489.tif 000010
【図９】
2006344489.tif 000011